(57)【要約】  【課題】  撮影用レンズの枚数を増やすことなく、収差を小さくしてレンズ性能を高くすることができ、製造コストの増加を抑えることのできる虹彩撮影用レンズを提供する。  【解決手段】  虹彩撮影用レンズ１Ａは、両凸球面レンズ２Ａと、両凹球面レンズ３Ａと、可視光カットフィルタ４Ａを備え、可視光カットフィルタ４Ａは、少なくとも一方の面が曲面とされている。この構成により、可視光カットフィルタ４Ａがレンズとしての役割を果たし、両凸球面レンズ２Ａや両凹球面レンズ３Ａだけでなく、可視光カットフィルタ４Ａによっても収差の補正をすることができる。【選択図】  図１
2007097631.tif 000002
【特許請求の範囲】
【請求項１】
撮影用レンズと、可視光カットフィルタを備え、
前記可視光カットフィルタは、少なくとも一方の面が曲面とされていることを特徴とする虹彩撮影用レンズ。
【請求項２】
前記可視光カットフィルタは、一方の面が曲面とされており、他方の面が平面とされていることを特徴とする請求項１に記載の虹彩撮影用レンズ。
【請求項３】
前記可視光カットフィルタの曲面は、回転対称な非球面とされていることを特徴とする請求項１または請求項２に記載の虹彩撮影用レンズ。
【請求項４】
前記可視光カットフィルタは、光軸上の肉厚と有効半径の円周上の肉厚の比が０．８以上、１．２以下に設定されていることを特徴とする請求項１ないし請求項３のいずれかに記載の虹彩撮影用レンズ。
【発明の詳細な説明】
【技術分野】
【０００１】
本発明は、虹彩認識装置などに使用される虹彩撮影用レンズに関するものである。
【背景技術】
【０００２】
従来、個人認証装置として、人間の目の虹彩のパターンが各人で異なることを利用して、個人の特定を行う虹彩認識装置が用いられている（例えば、特許文献１参照）。この虹彩認識装置では、虹彩のパターンを撮影するために赤外線が使用される。そして、従来、図７に示すように、虹彩認識装置に用いられる虹彩撮影用レンズ１Ｐは、両凸球面レンズ２Ｐと、メニスカス凹球面レンズ３Ｐと、可視光カットフィルタ４Ｐを備えており、可視光カットフィルタ４Ｐの両方の面は平行平面とされている。可視光カットフィルタ４Ｐは、不要な可視光をカットして、赤外線のみを透過するように構成されている。
【特許文献１】特開２００４−１６７０４６号公報
【発明の開示】
【発明が解決しようとする課題】
【０００３】
しかしながら、従来の虹彩撮影用レンズ１Ｐでは、図７に示すように、両凸球面レンズ２Ｐとメニスカス凹球面レンズ３Ｐという二つの撮影用レンズしか使用していないため、光学設計の自由度が低く、収差補正を十分に行うことが難しい。図８（ａ）〜（ｃ）は、従来の虹彩撮影用レンズ１Ｐの球面収差、非点収差、歪曲収差を示す図であり、図９（ａ）〜（ｈ）は、従来の虹彩撮影用レンズ１Ｐのタンジェンシャル方向およびサジタル方向の横収差を示す図である。図８および図９に示すように、従来の虹彩撮影用レンズ１Ｐでは、球面収差などの収差が大きく、レンズ性能が低いという問題があった。そこで、レンズ性能を高くするために、撮影用レンズの枚数を増やし、光学設計の自由度を上げて、収差の補正を図ることも考えられるが、その場合には、虹彩撮影用レンズ１Ｐの製造コストが増加してしまうという問題があった。
【０００４】
本発明は、上記従来の問題を解決するためになされたもので、撮影用レンズの枚数を増やすことがなく製造コストの増加を抑えることができ、収差を小さくしてレンズ性能を高くすることができる虹彩撮影用レンズを提供することを目的とする。
【課題を解決するための手段】
【０００５】
本発明の虹彩撮影用レンズは、撮影用レンズと、可視光カットフィルタを備え、前記可視光カットフィルタは、少なくとも一方の面が曲面とされている構成を有している。
【０００６】
この構成により、可視光カットフィルタの少なくとも一方の面が曲面とされているので、可視光カットフィルタがレンズとしての役割を果たし、撮影用レンズだけでなく、可視光カットフィルタによっても収差の補正をすることができる。したがって、レンズの枚数を増やすことなく、収差を小さくすることができる。
【０００７】
また、本発明の虹彩撮影用レンズでは、前記可視光カットフィルタは、一方の面が曲面とされており、他方の面が平面とされている構成を有している。
【０００８】
この構成により、可視光カットフィルタの一方の面が曲面とされているので、可視光カットフィルタがレンズとしての役割を果たし、可視光カットフィルタによっても収差の補正をすることができるとともに、可視光カットフィルタの他方の面が平面とされているので、可視光カットフィルタの加工が容易であり、製造コストを低く抑えることができる。
【０００９】
また、本発明の虹彩撮影用レンズでは、前記可視光カットフィルタの曲面は、回転対称な非球面とされている構成を有している。
【００１０】
この構成により、可視光カットフィルタが非球面レンズとしての役割を果たし、可視光カットフィルタによって収差の補正をすることができ、特に球面収差を小さくすることができる。
【００１１】
また、本発明の虹彩撮影用レンズでは、前記可視光カットフィルタは、光軸上の肉厚と有効半径の円周上の肉厚の比が１．２より大きく１．２以下に設定されている構成を有している。
【００１２】
この構成により、可視光カットフィルタの光軸上を通過した光と、有効半径の円周上を通過した光との間で、可視光カットフィルタの透過率に差が生じるのを抑えることができる。すなわち、可視光カットフィルタの一方の面を球面とした場合であっても、可視光カットフィルタの分光特性にむらが生じるのを抑えることができる。したがって、可視光カットフィルタは、レンズとしての役割を果たすとともに、フィルタとしての役割を十分に果たすことができる。
【発明の効果】
【００１３】
本発明は、少なくとも一方の面が曲面とされている可視光カットフィルタを設けることにより、撮影用レンズの枚数を増やすことなく、収差を小さくしてレンズ性能を高くすることができ、製造コストの増加を抑えることができるという効果を有する虹彩撮影用レンズを提供することができるものである。
【発明を実施するための最良の形態】
【００１４】
以下、本発明の実施の形態の虹彩撮影用レンズについて、図面を用いて説明する。本実施の形態では、虹彩認識装置等に用いられる虹彩撮影用レンズの場合を例示する。
【００１５】
（第１の実施の形態）
本発明の第１の実施の形態の虹彩撮影用レンズを図１に示す。図１において、虹彩撮影用レンズ１Ａは、低分散ガラス製の両凸球面レンズ２Ａと、高分散ガラス製の両凹球面レンズ３Ａと、プラスチック製の可視光カットフィルタ４Ａを備えている。この場合、両凸球面レンズ２Ａおよび両凹球面レンズ３Ａが撮影用レンズに相当する。また、可視光カットフィルタ４Ａはプラスチックの射出成形により製造されている。そして、虹彩撮影用レンズ１Ａは虹彩認識装置に取り付けられており、虹彩撮影用レンズ１Ａで集光された光は、ＣＣＤ５などの撮像素子によって撮像信号に変換され、虹彩認識のための画像処理が行われる。なお、図１には、ＣＣＤ５のパッケージガラス６が図示されているが、光学設計上、パッケージガラス６の位置の影響は無視することができる。
【００１６】
両凸球面レンズ２Ａのレンズ有効半径ｒ１とレンズ球面半径Ｒ１との比ｒ１／Ｒ１およびレンズ有効半径ｒ２とレンズ球面半径Ｒ２との比ｒ２／Ｒ２は、それぞれ０．５５以下に設定されていることが好ましく、本実施の形態では、ｒ１／Ｒ１およびｒ２／Ｒ２はそれぞれ０．５５に設定されている。また、両凸球面レンズ２Ａのフラウンホーファー線のｄ線の屈折率ｎ１は１．５６９であり、アッベ数ν１は５６．０である。両凸球面レンズ２Ａの一方のレンズ面（図１における左側のレンズ面）の曲率半径は７．０９ｍｍであり、他方のレンズ面（図１における右側のレンズ面）の曲率半径は−６．０７ｍｍである。また、両凸球面レンズ２Ａの光軸上の肉厚は２．９２ｍｍである。
【００１７】
両凹球面レンズ３Ａのレンズ有効半径ｒ２とレンズ球面半径Ｒ２との比ｒ２／Ｒ２および有効半径ｒ３とレンズ球面半径Ｒ３との比は、それぞれ０．５５以下に設定されていることが好ましく、本実施の形態では、ｒ２／Ｒ２およびｒ３／Ｒ３はそれぞれ０．５５に設定されている。また、両凹球面レンズ３Ａのフラウンホーファー線のｄ線の屈折率ｎ２は１．６２０であり、アッベ数ν２は３６．３である。両凹球面レンズ３Ａの一方のレンズ面（図１における左側のレンズ面）の曲率半径は−６．０７ｍｍであり、他方のレンズ面（図１における右側のレンズ面）の曲率半径は５．７５ｍｍである。また、両凹球面レンズ３Ａの光軸上の肉厚は３．００ｍｍである。そして、図１に示すように、両凸球面レンズ２Ａと両凹球面レンズ３Ａとは接合されている。
【００１８】
可視光カットフィルタ４Ａは、プラスチック成形で製造されている。そして、可視光カットフィルタ４Ａの一方の面（図１における左側の面）は球面レンズとされており、他方の面（図１における右側の面）は僅かに球面とされている。また、可視光カットフィルタ４Ａのフラウンホーファー線のｄ線の屈折率ｎ３は１．４９２であり、アッベ数ν３は５４．６７である。可視光カットフィルタ４Ａの一方のレンズ面（図１における左側のレンズ面）の曲率半径は１１．０１であり、他方のレンズ面（図１における右側のレンズ面）の曲率半径は−２９．７０ｍｍである。また、両凹球面レンズ３Ａと可視光カットフィルタ４Ａとの間隔は２．４５ｍｍに設定されている。
【００１９】
また、可視光カットフィルタ４Ａにおいては、光軸上の肉厚と有効半径の円周上の肉厚の比が０．８以上、１．２以下（ただし、１．０を除く）に設定されていることが好ましく、本実施の形態では、上記肉厚の比が１．２に設定されている。具体的には、可視光カットフィルタ４Ａの光軸上（中心部分）の肉厚は３．００ｍｍであり、可視光カットフィルタ４Ａの有効半径の円周上（周辺部分）の肉厚は３．６０ｍｍである。このように、本実施の形態では、可視光カットフィルタ４Ａの光軸上の肉厚と、可視光カットフィルタ４Ａの有効半径の円周上の肉厚の比が１．２に設定されている。
【００２０】
そして、上記のような両凸球面レンズ２Ａ、両凹球面レンズ３Ａ、可視光カットフィルタ４Ａを用いた本実施の形態の虹彩撮影用レンズ１Ａでは、焦点距離ｆが２５ｍｍ、Ｆナンバーが８．０、像高が３．０ｍｍ、物体距離が３２０ｍｍに設定されている。
【００２１】
以上のように構成された虹彩撮影用レンズ１Ａの収差の測定結果を図２および図３に示す。図２（ａ）〜（ｃ）は、本実施の形態の虹彩撮影用レンズ１Ａの球面収差、非点収差、歪曲収差を示す図であり、図３（ａ）〜（ｈ）は、本実施の形態の虹彩撮影用レンズ１Ａのタンジェンシャル方向およびサジタル方向の横収差を示す図である。図２および図３に示すように、本実施の形態の虹彩撮影用レンズ１Ａは、図８および図９に示した従来の虹彩撮影用レンズ１Ｐに比べて、球面収差などの収差が小さくなっており、レンズ性能が向上している。
【００２２】
このような発明の第１の実施の形態の虹彩撮影用レンズ１Ａによれば、可視光カットフィルタ４Ａの少なくとも一方の面が曲面とされている。上記の例では、一方の面がレンズ曲面とされており他方の面が僅かにレンズ曲面とされている可視光カットフィルタ４Ａが設けられている。これにより、撮影用レンズの枚数を増やすことなく、収差を小さくしてレンズ性能を高くすることができ、製造コストの増加を抑えることができる。
【００２３】
すなわち、本実施の形態の虹彩撮影用レンズ１Ａでは、可視光カットフィルタ４Ａの一方の面がレンズ曲面とされており他方の面が僅かにレンズ曲面とされている。これにより、可視光カットフィルタ４Ａがレンズとしての役割を果たし、両凸球面レンズ２Ａや両凹球面レンズ３Ａだけでなく、可視光カットフィルタ４Ａによっても収差の補正をすることができる。したがって、両凸球面レンズ２Ａや両凹球面レンズ３Ａなどの撮影用レンズの枚数を増やすことなく、収差を小さくすることができる。
【００２４】
また、可視光カットフィルタ４Ａの光軸上の肉厚と有効半径の円周上の肉厚の比を１．２より大きく１．２以下に設定することにより、可視光カットフィルタ４Ａの光軸上（中心部分）を通過した光と、有効半径の円周上（周辺部分）を通過した光との間で、可視光カットフィルタ４Ａの透過率に差が生じるのを抑えることができる。本実施の形態の虹彩撮影用レンズ１Ａでは、可視光カットフィルタ４Ａの光軸上の肉厚と有効半径の円周上の肉厚の比が１．２に設定されているので、透過率５０％の波長の光に対して、可視光カットフィルタ４Ａの光軸上（中心部分）と有効半径の円周上（周辺部分）の透過率の差を６％に抑えることができる。すなわち、可視光カットフィルタ４Ａの一方の面を球面とした場合であっても、可視光カットフィルタ４Ａの分光特性にむらが生じるのを抑えることができる。したがって、可視光カットフィルタ４Ａは、レンズとしての役割を果たすとともに、フィルタとしての役割を十分に果たすことができる。
【００２５】
また、本実施の形態の虹彩撮影用レンズ１Ａでは、両凸球面レンズ２Ａと両凹球面レンズ３Ａとを接合することにより、撮影用レンズの枚数を減らすことができる。これにより、撮影用レンズの製造や組み立てに要する作業量や作業時間の削減を図ることができ、製造コストを低く抑えることができる。また、両凸球面レンズ２Ａおよび両凹球面レンズ３Ａのレンズ有効半径とレンズ球面半径との比ｒ１／Ｒ１およびｒ２／Ｒ２およびｒ３／Ｒ３を０．５５以下に設定することにより、両凸球面レンズ２Ａおよび両凹球面レンズ３Ａの加工性を高めることができる。また、両凸球面レンズ２Ａのアッベ数ν１を５６以上に設定し、両凹球面レンズ３Ａのアッベ数ν２を３７以下に設定することにより、色収差の補正をすることができる。
【００２６】
（第２の実施の形態）
次に、本発明の第２の実施の形態の虹彩撮影用レンズを図４に示す。ここでは、本実施の形態の虹彩撮影用レンズが、図１に示した第１の実施の形態と相違する構成について説明し、同様の構成については特に言及しない。図４において、本実施の形態の虹彩撮影用レンズ１Ｂは、低分散ガラス製のメニスカス凸球面レンズ２Ｂと、高分散ガラス製のメニスカス凹球面レンズ３Ｂと、プラスチック製の可視光カットフィルタ４Ｂを備えている。この場合、メニスカス凸球面レンズ２Ｂおよびメニスカス凹球面レンズ３Ｂが撮影用レンズに相当する。
【００２７】
メニスカス凸球面レンズ２Ｂのレンズ有効半径ｒ１とレンズ球面半径Ｒ１との比ｒ１／Ｒ１およびレンズ有効半径ｒ２とレンズ球面半径Ｒ２との比ｒ２／Ｒ２は、それぞれ０．５５以下に設定されていることが好ましく、本実施の形態では、ｒ１／Ｒ１およびｒ２／Ｒ２はそれぞれ０．５５に設定されている。また、メニスカス凸球面レンズ２Ｂのフラウンホーファー線のｄ線の屈折率ｎ１は１．６３９であり、アッベ数ν１は５５．５である。メニスカス凸球面レンズ２Ｂの一方のレンズ面（図４における左側のレンズ面）の曲率半径は９．４４ｍｍであり、他方のレンズ面（図４における右側のレンズ面）の曲率半径は２４．３６ｍｍである。また、メニスカス凸球面レンズ２Ｂの光軸上の肉厚は３．００ｍｍである。
【００２８】
メニスカス凹球面レンズ３Ｂのレンズ有効半径ｒ２とレンズ球面半径Ｒ２との比ｒ２／Ｒ２および有効半径ｒ３とレンズ球面半径Ｒ３との比は、それぞれ０．５５以下に設定されていることが好ましく、本実施の形態では、ｒ２／Ｒ２およびｒ３／Ｒ３はそれぞれ０．５５に設定されている。また、メニスカス凹球面レンズ３Ｂのフラウンホーファー線のｄ線の屈折率ｎ２は１．４８７であり、アッベ数ν２は７０．４である。メニスカス凹球面レンズ３Ｂの一方のレンズ面（図４における左側のレンズ面）の曲率半径は２４．３６ｍｍであり、他方のレンズ面（図４における右側のレンズ面）の曲率半径は８．５９ｍｍである。また、メニスカス凹球面レンズ３Ｂの光軸上の肉厚は３．００ｍｍである。そして、本実施の形態でも、図４に示すように、メニスカス凸球面レンズ２Ｂとメニスカス凹球面レンズ３Ｂとは接合されている。
【００２９】
可視光カットフィルタ４Ｂは、プラスチック成形で製造されている。そして、可視光カットフィルタ４Ｂの一方の面（図４における左側の面）は回転対称な非球面レンズとされており、他方の面（図４における右側の面）は平面とされている。なお、可視光カットフィルタ４Ｂの非球面半径Ｒ５は１５．６７である。また、可視光カットフィルタ４Ｂのフラウンホーファー線のｄ線の屈折率ｎ３は１．４９２であり、アッベ数ν３は５４．６７である。そして、可視光カットフィルタ４Ｂの光軸上の肉厚は、２．００ｍｍであり、可視光カットフィルタ４Ｂの有効半径の円周上の肉厚の１．１５倍に設定されている。なお、可視光カットフィルタ４Ｂの非球面は、下記の非球面定義式で定義されている。
Ｚ＝［ｃｈ2／｛１＋（１−ｃ2ｈ2）-0.5｝］＋Ａｈ4＋Ｂｈ6＋Ｃｈ8＋Ｄｈ10
ｃ＝１／ｒ
ここで、Ａ、Ｂ、Ｃ、Ｄは、それぞれ定数であり、本実施の形態では、Ａ＝−０．１１９５×１０-3、Ｂ＝−０．４５１２×１０-5、Ｃ＝０、Ｄ＝０に設定されている。
【００３０】
そして、上記のような可視光カットフィルタ４Ｂを用いた本実施の形態の虹彩撮影用レンズ１Ｂでは、焦点距離ｆが２５ｍｍ、Ｆナンバーが８．０、像高が３．０ｍｍ、物体距離が３２０ｍｍに設定されている。
【００３１】
以上のように構成された虹彩撮影用レンズ１Ｂの収差の測定結果を図５および図６に示す。図５（ａ）〜（ｃ）は、本実施の形態の虹彩撮影用レンズ１Ｂの球面収差、非点収差、歪曲収差を示す図であり、図６（ａ）〜（ｈ）は、本実施の形態の虹彩撮影用レンズ１Ｂのタンジェンシャル方向およびサジタル方向の横収差を示す図である。図５および図６に示すように、本実施の形態の虹彩撮影用レンズ１Ｂは、図８および図９に示した従来の虹彩撮影用レンズ１Ｐに比べて、球面収差などの収差が小さくなっており、レンズ性能が向上している。
【００３２】
このような発明の第２の実施の形態の虹彩撮影用レンズ１Ｂによれば、一方の面がレンズ曲面とされており他方の面が平面とされている可視光カットフィルタ４Ｂを設けることにより、撮影用レンズの枚数を増やすことなく、収差を小さくしてレンズ性能を高くすることができ、製造コストの増加を抑えることができる。
【００３３】
すなわち、本実施の形態の虹彩撮影用レンズ１Ｂでは、可視光カットフィルタ４Ｂの一方の面がレンズ曲面とされており他方の面が平面とされている。これにより、可視光カットフィルタ４Ｂがレンズとしての役割を果たし、メニスカス凸球面レンズ２Ｂやメニスカス凹球面レンズ３Ｂだけでなく、可視光カットフィルタ４Ｂによっても収差の補正をすることができる。そのうえ、可視光カットフィルタ４Ｂの他方の面が平面とされているので、可視光カットフィルタ４Ｂの製造に用いる成形金型を安価に製造することができ、製造コストを低く抑えることができる。
【００３４】
また、本実施の形態の虹彩撮影用レンズ１Ｂでは、可視光カットフィルタ４Ｂの曲面が回転対称な非球面とされているので、可視光カットフィルタ４Ｂが非球面レンズとしての役割を果たし、可視光カットフィルタ４Ｂによって収差の補正をすることができ、特に球面収差を小さくすることができる。
【００３５】
また、前実施の形態と同様、可視光カットフィルタ４Ｂの光軸上の肉厚と有効半径の円周上の肉厚の比を０．８以上、１．２以下に設定することにより、可視光カットフィルタ４Ｂの光軸上（中心部分）を通過した光と、有効半径の円周上（周辺部分）を通過した光との間で、可視光カットフィルタ４Ｂの透過率に差が生じるのを抑えることができる。本実施の形態の虹彩撮影用レンズ１Ｂでは、可視光カットフィルタ４Ｂの光軸上の肉厚と有効半径の円周上の肉厚の比が１．１５に設定されているので、透過率５０％の波長の光に対して、可視光カットフィルタ４Ｂの光軸上（中心部分）と有効半径の円周上（周辺部分）の透過率の差を５％に抑えることができる。すなわち、可視光カットフィルタ４Ｂの一方の面を球面とした場合であっても、可視光カットフィルタ４Ｂの分光特性にむらが生じるのを抑えることができる。したがって、可視光カットフィルタ４Ｂは、レンズとしての役割を果たすとともに、フィルタとしての役割を十分に果たすことができる。
【００３６】
また、本実施の形態の虹彩撮影用レンズ１Ｂでも、メニスカス凸球面レンズ２Ｂとメニスカス凹球面レンズ３Ｂとを接合することにより、撮影用レンズの枚数を減らすことができる。これにより、撮影用レンズの製造や組み立てに要する作業量や作業時間の削減を図ることができ、製造コストを低く抑えることができる。また、メニスカス凸球面レンズ２Ｂおよびメニスカス凹球面レンズ３Ｂのレンズ有効半径とレンズ球面半径との比ｒ１／Ｒ１およびｒ２／Ｒ２およびｒ３／Ｒ３を０．５５以下に設定することにより、メニスカス凸球面レンズ２Ｂおよびメニスカス凹球面レンズ３Ｂの加工性を高めることができる。また、メニスカス凸球面レンズ２Ｂのアッベ数ν１を５５以上に設定し、メニスカス凹球面レンズ３Ｂのアッベ数ν２を７１以下に設定することにより、色収差の補正をすることができる。
【００３７】
以上、本発明の実施の形態を例示により説明したが、本発明の範囲はこれらに限定されるものではなく、請求項に記載された範囲内において目的に応じて変更・変形することが可能である。
【産業上の利用可能性】
【００３８】
以上のように、本発明にかかる虹彩撮影用レンズは、撮影用レンズの枚数を増やすことなく、収差を小さくしてレンズ性能を高くすることができ、製造コストの増加を抑えることができるという効果を有し、虹彩認識装置等に用いられる虹彩撮影用レンズ等として有用である。
【図面の簡単な説明】
【００３９】
【図１】本発明の第１の実施の形態における虹彩撮影用レンズの構成を示す図
【図２】（ａ）本発明の第１の実施の形態における虹彩撮影レンズの球面収差を示す図  （ｂ）本発明の第１の実施の形態における虹彩撮影レンズの非点収差を示す図  （ｃ）本発明の第１の実施の形態における虹彩撮影レンズの歪曲収差を示す図
【図３】（ａ）本発明の第１の実施の形態における虹彩撮影レンズのタンジェンシャル方向の横収差（像高３．００ｍｍ）を示す図  （ｂ）本発明の第１の実施の形態における虹彩撮影レンズのサジタル方向の横収差（像高３．００ｍｍ）を示す図  （ｃ）本発明の第１の実施の形態における虹彩撮影レンズのタンジェンシャル方向の横収差（像高２．４０ｍｍ）を示す図  （ｄ）本発明の第１の実施の形態における虹彩撮影レンズのサジタル方向の横収差（像高２．４０ｍｍ）を示す図  （ｅ）本発明の第１の実施の形態における虹彩撮影レンズのタンジェンシャル方向の横収差（像高１．８０ｍｍ）を示す図  （ｆ）本発明の第１の実施の形態における虹彩撮影レンズのサジタル方向の横収差（像高１．８０ｍｍ）を示す図  （ｇ）本発明の第１の実施の形態における虹彩撮影レンズのタンジェンシャル方向の横収差（像高０．００ｍｍ）を示す図  （ｈ）本発明の第１の実施の形態における虹彩撮影レンズのサジタル方向の横収差（像高０．００ｍｍ）を示す図
【図４】本発明の第２の実施の形態における虹彩撮影用レンズの構成を示す図
【図５】（ａ）本発明の第２の実施の形態における虹彩撮影レンズの球面収差を示す図  （ｂ）本発明の第２の実施の形態における虹彩撮影レンズの非点収差を示す図  （ｃ）本発明の第２の実施の形態における虹彩撮影レンズの歪曲収差を示す図
【図６】（ａ）本発明の第２の実施の形態における虹彩撮影レンズのタンジェンシャル方向の横収差（像高３．００ｍｍ）を示す図  （ｂ）本発明の第２の実施の形態における虹彩撮影レンズのサジタル方向の横収差（像高３．００ｍｍ）を示す図  （ｃ）本発明の第２の実施の形態における虹彩撮影レンズのタンジェンシャル方向の横収差（像高２．４０ｍｍ）を示す図  （ｄ）本発明の第２の実施の形態における虹彩撮影レンズのサジタル方向の横収差（像高２．４０ｍｍ）を示す図  （ｅ）本発明の第２の実施の形態における虹彩撮影レンズのタンジェンシャル方向の横収差（像高１．８０ｍｍ）を示す図  （ｆ）本発明の第２の実施の形態における虹彩撮影レンズのサジタル方向の横収差（像高１．８０ｍｍ）を示す図  （ｇ）本発明の第２の実施の形態における虹彩撮影レンズのタンジェンシャル方向の横収差（像高０．００ｍｍ）を示す図  （ｈ）本発明の第２の実施の形態における虹彩撮影レンズのサジタル方向の横収差（像高０．００ｍｍ）を示す図
【図７】従来の虹彩撮影用レンズの構成を示す図
【図８】（ａ）従来の虹彩撮影レンズの球面収差を示す図  （ｂ）従来の虹彩撮影レンズの非点収差を示す図  （ｃ）従来の虹彩撮影レンズの歪曲収差を示す図
【図９】（ａ）従来の虹彩撮影レンズのタンジェンシャル方向の横収差（像高３．００ｍｍ）を示す図  （ｂ）従来の虹彩撮影レンズのサジタル方向の横収差（像高３．００ｍｍ）を示す図  （ｃ）従来の虹彩撮影レンズのタンジェンシャル方向の横収差（像高２．４０ｍｍ）を示す図  （ｄ）従来の虹彩撮影レンズのサジタル方向の横収差（像高２．４０ｍｍ）を示す図  （ｅ）従来の虹彩撮影レンズのタンジェンシャル方向の横収差（像高１．８０ｍｍ）を示す図  （ｆ）従来の虹彩撮影レンズのサジタル方向の横収差（像高１．８０ｍｍ）を示す図  （ｇ）従来の虹彩撮影レンズのタンジェンシャル方向の横収差（像高０．００ｍｍ）を示す図  （ｈ）従来の虹彩撮影レンズのサジタル方向の横収差（像高０．００ｍｍ）を示す図
【符号の説明】
【００４０】
１Ａ、１Ｂ  虹彩撮影用レンズ
２Ａ  両凸球面レンズ
２Ｂ  メニスカス凸球面レンズ
３Ａ  両凹球面レンズ
３Ｂ  メニスカス凹球面レンズ
４Ａ、４Ｂ  可視光カットフィルタ
【図１】
2007097631.tif 000003
【図２】
2007097631.tif 000004
【図３】
2007097631.tif 000005
【図４】
2007097631.tif 000006
【図５】
2007097631.tif 000007
【図６】
2007097631.tif 000008
【図７】
2007097631.tif 000009
【図８】
2007097631.tif 000010
【図９】
2007097631.tif 000011